(57)【要約】【課題】フロントパネルに再生キーがない再生装置であって、トレイクローズが行われた場合に自動再生を行うことが可能な再生装置を提供する。【解決手段】本発明の再生装置は、再生制御部と、外部記録媒体を開閉動作により着脱する着脱部とを備える。また、着脱部の閉動作がなされた場合に、閉動作の起因となった処理の内容を解析し、処理内容が所定条件を満たす場合に外部記録媒体の再生を行うよう再生制御部を制御する開閉制御部を備える。開閉制御部は、操作部により閉操作が受け付けられた場合に、閉操作の操作内容を解析し、解析結果が所定条件を満たす場合、例えば連続押下や長押しが検知された場合に、着脱部に装着された外部記録媒体を再生するよう前記再生制御部を制御する。【選択図】図３
2014044773.tif 000002
【特許請求の範囲】
【請求項１】
画像または音声を含む再生情報の再生を行う再生制御部と、
前記再生情報が記録された外部記録媒体を開閉動作により着脱する着脱部と、
前記着脱部の閉動作がなされた場合に、前記閉動作の起因となった処理の内容を解析し、前記処理内容が予め定められた条件を満たす場合に前記外部記録媒体に記録されている前記再生情報の再生を行うよう前記再生制御部を制御する開閉制御部と、を備えること
を特徴とする再生装置。
【請求項２】
前記再生装置は、前記着脱部の閉操作を受け付ける操作部を備え、
前記開閉制御部は、前記操作部により前記閉操作が受け付けられた場合に、前記閉操作の操作内容を解析し、前記解析結果が予め定められた条件を満たす場合に、前記着脱部に装着された前記外部記録媒体に記録されている前記再生情報の再生処理を行うよう前記再生制御部を制御すること
を特徴とする請求項１に記載の再生装置。
【請求項３】
前記着脱部は、開閉式のトレイを含み、
前記操作部は、前記トレイの開閉を行うための開閉キーを備え、
前記開閉制御部は、前記開閉キーにより前記着脱部の閉操作がなされた場合に、前記閉操作の操作内容を解析し、前記操作内容が予め定められた条件を満たす場合に、前記トレイに装着された前記外部記録媒体に記録されている前記再生情報の再生処理を行うよう前記再生制御部を制御すること
を特徴とする請求項２に記載の再生装置。
【請求項４】
前記開閉制御部は、前記開閉キーに対する複数回の押下が予め定められた時間間隔以下で連続して実施されたことを検知した場合、または予め定められた時間を上回って継続して押下されたことを検知した場合に、前記条件を満たすとみなし、前記トレイに装着された前記外部記録媒体に記録されている前記再生情報の再生処理を行うよう前記再生制御部を制御すること
を特徴とする請求項３に記載の再生装置。
【請求項５】
前記再生装置は、前記開閉制御部の動作のオン／オフ設定を受け付ける設定部を備えること
を特徴とする請求項４に記載の再生装置。
【請求項６】
前記設定部は、前記開閉制御部の動作がオンに設定されている場合に、前記外部記録媒体に予め記録されている再生指示情報により実施される再生処理と、前記開閉制御部により前記再生制御部が制御されることにより実施される再生処理とのいずれを優先するかの設定を受け付け、
前記開閉制御部は、該設定に基づいて前記再生制御部に対する制御の実施／未実施を決定すること
を特徴とする請求項５に記載の再生装置。
【請求項７】
前記着脱部は、光ディスクを装着する開閉式のディスクトレイを含み、
前記開閉制御部は、前記ディスクトレイに装着された光ディスクが、前記再生指示情報が記録されている自動再生ディスクであるか否かを判定し、自動再生ディスクである場合に、前記再生指示情報により実施される再生処理と、前記開閉制御部により前記再生制御部が制御されることにより実施させる再生処理とのいずれを優先するかを、前記設定部により受け付けられた設定に基づいて決定すること
を特徴とする請求項６に記載の再生装置。
【発明の詳細な説明】
【技術分野】
【０００１】
本発明は、画像または音声の再生を行う再生装置に関するものであり、特に光ディスク等の記録媒体を着脱するためのディスクトレイを備えた再生装置に関する。
【背景技術】
【０００２】
近年、デジタル技術の多機能化、多様化により、ＤＶＤ（Digital Versatile Disc）プレーやＢＤ（Blu-lay Disc：登録商標）プレーヤ等の様々な再生装置が普及している。これらの再生装置は、光ディスクに記録されている画像／音声デジタルデータをデコードすることにより、画像／音声信号をテレビジョン装置やモニタ、又はスピーカ等に出力する。
【０００３】
近年の再生装置は、所定の光ディスクが装着された場合に、ユーザ操作を必要とすることなく自動再生する機能、いわゆるファーストプレイバック機能を備えたものが実用化されている。例えばＤＶＤであれば First Play Domain、ＢＤであれば First Play Titleを含む光ディスクが装着された場合に、ファーストプレイバック機能が動作する。
【０００４】
また、ディスクトレイ開状態で再生キーが押下された場合に、ディスクトレイの閉動作を行った後に再生を行う再生装置が実用化されている。このような再生装置は、再生キーによりトレイクローズが行われた場合は、ファーストプレイバックに対応していない光ディスクであっても再生を行う。
【０００５】
また上記に関連して、前回再生が中断された再生位置より自動再生する技術が開示・提案されている（例えば特許文献１を参照）。
【先行技術文献】
【特許文献】
【０００６】
【特許文献１】特開２０００−１００１４０号公報
【発明の概要】
【発明が解決しようとする課題】
【０００７】
しかしながら近年、コストやデザイン等の点からフロントパネルのキーが削減され、再生キーがフロントパネルに設けられていないモデルが存在する。このようなモデルでは、上記の再生キーを用いた、閉動作と再生動作との同時実行を行うことができない。
【０００８】
このためユーザは、ファーストプレイバックに対応していない光ディスクを再生する場合に、光ディスクを装着してトレイクローズした後、リモコンを探して再生キーを押下をする必要があり、再生開始までに手間がかかるという問題があった。
【０００９】
本発明は、上記の問題を鑑みてなされたものであり、フロントパネルに再生キーが設けられていない再生装置であって、ファーストプレイバック未対応の光ディスクが装着されてトレイクローズが行われた場合であっても、自動再生を行うことが可能な再生装置を提供することを目的とする。
【課題を解決するための手段】
【００１０】
上記目的を達成するために本発明の再生装置は、画像または音声を含む再生情報の再生を行う再生制御部と、前記再生情報が記録された外部記録媒体を開閉動作により着脱する着脱部と、前記着脱部の閉動作がなされた場合に、前記閉動作の起因となった処理の内容を解析し、前記処理内容が予め定められた条件を満たす場合に前記外部記録媒体に記録されている前記再生情報の再生を行うよう前記再生制御部を制御する開閉制御部と、を備えることを特徴とする。
【００１１】
この構成によると、光ディスクの認識後、光ディスクが自動再生ディスクでない場合であっても、即座に再生を開始することができる。このためユーザは、ディスクトレイを閉じた後にリモコンを手にとって再生キーを押下する必要がないため、再生開始までの手間を省くことができる。
【００１２】
また上記目的を達成するために、前記再生装置は、前記着脱部の閉操作を受け付ける操作部を備え、前記開閉制御部は、前記操作部により前記閉操作が受け付けられた場合に、前記閉操作の操作内容を解析し、前記解析結果が予め定められた条件を満たす場合に、前記着脱部に装着された前記外部記録媒体に記録されている前記再生情報の再生処理を行うよう前記再生制御部を制御することを特徴とする。
【００１３】
この構成によると、着脱部に対して行われた閉操作が所定の操作内容と合致する場合にのみ、自動再生を行う。このためユーザは、閉操作の操作内容を変更することにより、自動再生を行うか否かを選択することができる。
【００１４】
また上記目的を達成するために、前記着脱部は、開閉式のトレイを含み、前記操作部は、前記トレイの開閉を行うための開閉キーを備え、前記開閉制御部は、前記開閉キーにより前記着脱部の閉操作がなされた場合に、前記閉操作の操作内容を解析し、前記操作内容が予め定められた条件を満たす場合に、前記トレイに装着された前記外部記録媒体に記録されている前記再生情報の再生処理を行うよう前記再生制御部を制御することを特徴とする。
【００１５】
この構成によると、トレイの開閉キーに対して行われた操作が所定の操作内容と合致する場合にのみ、自動再生を行う。このためユーザは、トレイの開閉キーに対する操作内容を変更することにより、自動再生を行うか否かを選択することができる。
【００１６】
また上記目的を達成するために、前記開閉制御部は、前記開閉キーに対する複数回の押下が予め定められた時間間隔以下で連続して実施されたことを検知した場合、または予め定められた時間を上回って継続して押下されたことを検知した場合に、前記条件を満たすとみなし、前記トレイに装着された前記外部記録媒体に記録されている前記再生情報の再生処理を行うよう前記再生制御部を制御することを特徴とする。
【００１７】
この構成によると、トレイの開閉キーが連続押下された場合、または長押しされた場合にのみ、自動再生を行うことができる。
【００１８】
また上記目的を達成するために、前記再生装置は、前記開閉制御部の動作のオン／オフ設定を受け付ける設定部を備えることを特徴とする。
【００１９】
この構成によると、トレイクローズが行われ場合に必ず自動再生するモデルと異なり、ユーザが再生したくない場合でも強制的に自動再生されるといった事態を回避することができる。
【００２０】
また上記目的を達成するために、前記設定部は、前記開閉制御部の動作がオンに設定されている場合に、前記外部記録媒体に予め記録されている再生指示情報により実施される再生処理と、前記開閉制御部により前記再生制御部が制御されることにより実施される再生処理とのいずれを優先するかの設定を受け付け、前記開閉制御部は、該設定に基づいて前記再生制御部に対する制御の実施／未実施を決定することを特徴とする。
【００２１】
この構成によると、複数種の自動再生のうち、いずれを優先するかをユーザが選択可能である。
【００２２】
また上記目的を達成するために、前記着脱部は、光ディスクを装着する開閉式のディスクトレイを含み、前記開閉制御部は、前記ディスクトレイに装着された光ディスクが、前記再生指示情報が記録されている自動再生ディスクであるか否かを判定し、自動再生ディスクである場合に、前記再生指示情報により実施される再生処理と、前記開閉制御部により前記再生制御部が制御されることにより実施させる再生処理とのいずれを優先するかを、前記設定部により受け付けられた設定に基づいて決定することを特徴とする。
【００２３】
この構成によると、光ディスクが自動再生ディスクであることに起因する自動再生と、開閉キーによる自動再生とのいずれを優先するかをユーザが選択可能である。
【図面の簡単な説明】
【００２４】
【図１】本発明の再生装置が備える機能部の構成を示すブロック図である。
【図２】本発明の再生装置の内部構成を示すブロック図である。
【図３】本発明の自動再生処理を示すフロー図である。
【図４】本発明の自動再生処理を示すフロー図である。
【図５】本発明の再生装置が出力する設定画面を示す画面図である。
【図６】本発明の再生装置が出力する設定画面を示す画面図である。
【発明を実施するための形態】
【００２５】
以下に本発明の実施形態を、図面を参照しながら説明する。なお、ここで示す実施形態は一例であり、本発明はここに示す実施形態に限定されるものではない。
〈１．内部構成について〉
【００２６】
図２は、本発明の一実施形態に係るＢＤレコーダ１（＝再生装置）の内部構成を示すブロック図である。なお、図２における矢印線は画像／音声データの流れを示している。また、矢印のない直線は、制御部１１が各装置に対する制御信号等を送受信するための通信バスを示している。
【００２７】
ＢＤレコーダ１は少なくとも、制御部１１、メモリ１２、操作部１３、フラッシュメモリ１４、ＨＤＤ１５、光ディスクドライブ１６、放送受信部１７、信号処理部１８、ＯＳＤ（On-Screen Display）処理部１９、通信Ｉ／Ｆ（Interface）２０、及び外部接続端子２１を含むように構成されている。なお光ディスクドライブ１６はその内部に、ディスクトレイ１６ａ（＝着脱部、トレイ）を備えている。
【００２８】
なお図２では、外部接続端子２１により接続される表示装置として、ディスプレイ２を例示している。また、通信Ｉ／Ｆ２０により接続される通信装置として、ブロードバンドルータ３を例示している。
【００２９】
制御部１１は、ＢＤレコーダ１の各部の駆動を制御することにより、画像／音声の再生処理、記録処理、出力処理等を統括制御するためのものである。制御部１１は例えば、複数のマイクロプロセッサから構成されている。また制御部１１は、制御部１１が備える演算処理装置上でプログラムを実行することにより実現される機能部として、後述する再生制御部１１ａ〜設定部１１ｃ（図１）を備えている。
【００３０】
メモリ１２は、ＢＤレコーダ１が保持する各種データを一時的に記録する媒体であり、例えば書き込み可能なＲＡＭ（Random Access Memory）等により構成されている。メモリ１２は、例えば制御部１１によって各種情報処理が行われる際の処理データや、ユーザから受けた指示命令等を一時的に記録しておくためのバッファメモリとしての役割を持つ。
【００３１】
操作部１３は、ユーザがＢＤレコーダ１に対して、画像／音声の再生指示等を行うためのものである。操作部１３は、例えばＢＤレコーダ１のハウジングに設けられた操作キーや、不図示のリモコン装置等を含む。操作部１３はこれらの装置により、ユーザ操作を受け付ける。ユーザ操作が受け付けられると、制御部１１は、操作内容に基づいて再生処理や記録処理等を行う。
【００３２】
本実施形態の操作部１３は、ＢＤレコーダ１のハウジングに設けられた操作キーの中に、後述するディスクトレイ１６ａの開閉を行うためのトレイ開閉キー（＝開閉キー）を含む。また操作部１３は、ＢＤレコーダ１のハウジングに設けられた操作キーの中に、再生処理に関連するキー、例えば再生キーや早送りキー等を備えていない。
【００３３】
フラッシュメモリ１４は、ＥＥＰＲＯＭの一種で、デバイスの利用者が書き込み／消去可能なＲＯＭである。フラッシュメモリ１４は回路基板に実装したままで書き込み、消去ができるため、利用時に書き換えが必要な用途、例えば装置の動作設定データや、利用者固有の情報等を保存するのに用いられる。
【００３４】
ＨＤＤ１５は、デジタルデータを記録する磁気記録媒体である。本実施形態では主に、放送波に含まれる画像／音声データ（＝再生情報）から生成される録画データや、圧縮処理により生成された圧縮録画データを記録するのに用いられる。
【００３５】
光ディスクドライブ１６は、ＤＶＤ（Digital Versatile Disc）メディア、或いはＢＤメディア等の光ディスク（＝外部記録媒体）に対して光学的に各種データの読み取り／書き込みを行うための光学装置である。光ディスクドライブ１６は、光ピックアップ（不図示）の制御を行うことにより、光ディスクに光ビームを照射して、光ディスクに記録された音声情報、画像情報等の各種情報の読み取りを行う。この際、光ピックアップの駆動制御やフォーカス制御、或いはチルト制御等の各種制御を行う。
【００３６】
また光ディスクドライブ１６は、光ディスクの脱着を行うためのディスクトレイ１６ａを備える。ディスクトレイ１６ａは、操作部１３に含まれる不図示のトレイ開閉キーが押下されることにより、開閉動作（トレイオープン／トレイクローズ）を行う。
【００３７】
放送受信部１７は、外部のアンテナ（不図示）に接続されてデジタル／アナログ放送の選局、受信、周波数変換、増幅、復調等を行う。放送受信部１７は、アナログ方式であればアナログチューナ、画像中間周波増幅回路、復調回路、及び増幅回路等を含むように構成されている。またデジタル方式であれば、デジタルチューナ、及び誤り訂正部等を含むように構成されている。
【００３８】
例えばデジタル放送を受信する場合、放送受信部１７に含まれるデジタルチューナが、中間周波信号の増幅及び検波を行う。これにより、ＭＰＥＧ２方式のデジタル信号であるＴＳ（＝Transport Stream）の取得を行う。
【００３９】
なおＴＳとは、複数のコンテンツ（番組）の音声ＰＥＳ（Packetized Elementary Stream）、画像ＰＥＳ、及び付加情報を固定長のＴＳパケットに分割してつなぎ合わせたものである。信号処理部１８へ与えられて画像／音声信号に変換される。なお、ＴＳを変換せずＨＤＤ１５へ記録することも可能である。この場合、信号処理部１８はＴＳのスルーのみを行う。
【００４０】
信号処理部１８は、放送受信部１７が生成したＴＳや、光ディスクドライブ１６が光ディスクより読み出したデジタルデータを入力し、音声情報を含む音声デジタル信号と、画像情報を含む画像デジタル信号とに分離する多重分離部である。具体的には例えば、放送受信部１７より生成されたＴＳを、ＴＳパケットに分割する。そしてＴＳパケットを再結合することにより、音声／画像のＰＥＳを生成する。
【００４１】
そしてＰＥＳを結合することにより、ＥＳ（Elementary Stream＝符号化された音声／画像データ）を生成する。さらに信号処理部１８はＥＳの復号を行い、各種デジタル信号に変換する。復号により得られたデジタル信号は、記録する場合はＨＤＤ１５へ与えられる。またディスプレイ２へ出力する場合は、外部出力端子２１へ与えられる。
【００４２】
ＯＳＤ処理部１９は、画像信号を生成する機能部である。ＯＳＤ処理部１９は、ＢＤレコーダ１が出力すべき情報をユーザが視認できる画像データに変換し、変換した画像データをディスプレイに表示するための画像信号を生成する。生成された画像信号は、外部出力端子２１より出力される。
【００４３】
通信Ｉ／Ｆ２０は、ＢＤレコーダ１を通信ネットワークと接続するための物理的なインタフェースである。通信Ｉ／Ｆ２０は例えば、ＩＥＥＥ８０２．３規格に準拠した有線ＬＡＮに接続するためのＬＡＮケーブルコネクタや、ＩＥＥＥ８０２．１１規格に準拠した無線ＬＡＮに接続するための無線アンテナ等を含むように構成されている。なお、電話通信網に接続するためのアナログ接続端子やＩＳＤＮ通信網に接続するためのＩＳＤＮ接続端子を備える形態であってもよい。
【００４４】
外部接続端子２１は、例えばＨＤＭＩ（High Definition Multimedia Interface）端子やコンポーネント端子等を含む、複数の入出力端子からなるインタフェースである。外部接続端子２１はこれらの入出力端子を用いて、ＨＤＤレコーダ１と外部の装置、例えばディスプレイ２を接続し、デジタル信号またアナログ信号の入出力を行う。
【００４５】
ディスプレイ２は、図示しない表示部、操作部、制御部、及び接続部を備える表示装置である。ディスプレイ２は例えば、接続部に含まれるＨＤＭＩ端子に接続されたＨＤＭＩケーブルを介して、画像／音声を含むデジタル信号を受け付ける。そしてデジタル信号の複合化を行い、画像／音声の出力を行う。
【００４６】
ブロードバンドルータ３は、複数のＩＰネットワークを相互接続するためのネットワーク中継装置である。具体的には、ＯＳＩ（Open Systems Interconnection）参照モデルでいうネットワーク層（第３層）やトランスポート層（第４層）等のプロトコルを解析して転送を行う。これにより例えば、有線ＬＡＮとインターネットとの二つのＩＰネットワークを相互に接続する役割を持つ。
〈２．機能部の構成について〉
【００４７】
ここで、本発明の一実施形態に係るＢＤレコーダ１が本発明の自動再生処理を実施するための各機能部の関係を、図１のブロック図を用いながら説明する。なお、図１における破線矢印線は、制御信号の流れを示している。
【００４８】
図１に示すように本発明の取得再生処理は、制御部１１が備える再生制御部１１ａ、開閉制御部１１ｂ、及び設定部１１ｃにより実施される。
【００４９】
再生制御部１１ａは、光ディスクドライブ１６に装着された光ディスクの再生制御を行う。また、ファーストプレイバックに対応した光ディスクを検知した場合に、ユーザ操作を必要とすることなく光ディスクの再生を行う、いわゆる自動再生を行う。なお自動再生の形式としては、画像／音声情報の先頭より再生を行う形態の他に、光ディスクに含まれるメニュー画面やタイトル画面等の表示を行う形態も存在する。
【００５０】
開閉制御部１１ｂは、ディスクトレイ１６ａの開閉動作を制御する。開閉制御部１１ｂは、ディスクトレイ１６ａの開状態において、操作部１３に含まれる所定のキーに対して所定の操作が行われた場合に、ディスクトレイ１６ａを閉状態にする。また、検知したユーザ操作の内容を解析し、解析結果に基づいて、光ディスクの再生を行うか否かを判定する。なお、ディスクトレイ１６ａが閉状態にされたとしても、ディスクトレイ１６ａに光ディスクが装着されていない場合は、以下の処理を実施しない。
【００５１】
開閉制御部１１ｂは、トレイクローズがなされた場合に、ディスクトレイ１６ａの光ディスクの有無を判定する。そして光ディスクが検知された場合に、トレイクローズの起因となった処理の内容を解析する。
【００５２】
開閉制御部１１ｂは、起因となった処理が所定処理と合致するか否かを判定する。そして合致する場合に、装着された光ディスクの自動再生を行うよう、再生制御部１１ａに指示する。
【００５３】
所定処理の一例としては、例えばトレイ開閉キーが複数回押下され、且つ押下の間隔が予め定められた閾値（例えば０．５秒）を下回る操作（以下、「連続押下」という）が検知された場合に、所定処理がなされたとみなす。或いは、トレイ開閉キーの長押し操作が行われた場合に、所定処理がなされたとみなす形態でもよい。或いは、ディスクトレイ１６ａに対してユーザにより圧力が加えられて強制的にトレイクローズが行われた場合に、所定処理がなされたとみなす形態でもよい。
【００５４】
なお、上記の所定操作が検知された場合に開閉制御部１１ｂが再生制御部１１ａに対して指示する自動再生の形態は、ファーストプレイバックで広く用いられている、タイトル画面やメニュー画面の表示を行う自動再生形態ではなく、本編画像の再生を行う自動再生形態とする。
【００５５】
設定部１１ｃは、上記の所定処理による自動再生のオン／オフに関する指定を、ＢＤレコーダ１の設定画面において受け付ける。オフが選択された場合、上記の自動再生を行わないよう、開閉制御部１１ｂに指示する。一方、オフが選択された場合、所定処理による自動再生とファーストプレイバックによる自動再生のいずれを優先するかの指定を受け付ける。
【００５６】
所定処理による自動再生を優先するよう指定された場合、ファーストプレイバック対応の光ディスクが検知されたとしても、上記の所定処理が検知されている場合はそちらを優先し、タイトル画面やメニュー画面を表示することなく、本編画像の自動再生を開始する。
【００５７】
図５は、設定部１１ｃが表示する設定画面３００の一例である。図５に示すように設定画面３００には、項目一覧と、カーソル３０１とが含まれている。項目一覧には、ユーザが設定変更可能な設定項目が表示される。
【００５８】
設定画面３００において、「自動再生処理」の項目にカーソル３０１があわせられている状態で操作部１３に含まれる決定ボタン（不図示）が押下されると、設定部１１ｃは、自動再生モードのオン／オフを切り替える。
【００５９】
図６は、上記の操作により自動再生モードがオンに設定された場合の設定画面３００を示している。この状態において設定部１１ｃは、開閉制御部１１ｂによる自動再生と、ファーストプレイバック機能による自動再生とのいずれを優先するかの選択を受け付ける。
【００６０】
図中の「ＦＰ（First Playback）優先」がカーソル３０１により選択された場合は、ファーストプレイバック機能による自動再生を優先する。一方、図中の「ＦＰ非優先」がカーソル３０１により選択された場合は、開閉制御部１１ｂによる自動再生を優先する。
〈３．自動再生処理について〉
【００６１】
ここで、本発明の一実施形態に係るＢＤレコーダ１が実施する自動再生処理を、図３のフロー図を用いながら説明する。なお図３に示す処理フローは、以下の処理形態による自動開閉処理を示している。
・開閉制御部１１ｂによる自動再生を行うための所定処理とし連続押下を用いる。
・連続押下とみなすための押下間隔を０．５秒とする。
・設定画面３００において「ＦＰ優先」が選択されている。
【００６２】
本処理の開始後、開閉制御部１１ｂはステップＳ１１０において、トレイ開閉キーの押下が検知されたか否かを判定する。押下が検知されていない場合、再びステップＳ１１０へ移行し、継続して監視を行う。
【００６３】
押下が検知された場合、開閉制御部１１ｂはステップＳ１２０において、ディスクトレイ１６ａのトレイクローズを開始する。次に開閉制御部１１ｂはステップＳ１３０において、ステップＳ１１０でトレイ開閉キーが押下されてから０．５秒以内に再びトレイ開閉キーが押下されたか否かを判定する。
【００６４】
０．５秒以内に押下が検知されなかった場合、後述するステップＳ１５０へ移行する。０．５秒以内に押下が検知された場合、開閉制御部１１ｂはステップＳ１４０において、自動再生モードへ移行するよう再生制御部１１ａに対して指示する。
【００６５】
次に開閉制御部１１ｂはステップＳ１５０において、トレイクローズが完了したか否かを判定する。トレイクローズが完了していない場合、再びステップＳ１５０へ移行し、継続して監視を行う。
【００６６】
トレイクローズが完了した場合、開閉制御部１１ｂはステップＳ１６０において、ディスクトレイ１６ａに装着された光ディスクの認識処理を行う。そしてファーストプレイバック対応の光ディスクか認識されたか否かにより、ステップＳ１７０において処理の分岐を行う。
【００６７】
ファーストプレイバック対応の光ディスクか認識された場合、再生制御部１１ａはステップＳ１８０において、装着された光ディスクのファーストプレイバック処理を行う。これにより、光ディスクに含まれるメニュー画面やタイトル画面がディスプレイ２に表示される。表示が完了すると、本処理を終了する。
【００６８】
ファーストプレイバック対応の光ディスクが認識されなかった場合、開閉制御部１１ｂはステップＳ１９０において、ステップＳ１４０が実施されたことによる自動再生モードの設定がなされているか否かを判定する。
【００６９】
自動再生モードに設定されている場合、再生制御部１１ａはステップＳ２００において、光ディスクの先頭から画像再生を行う。具体的には例えば、光ディスクにチャプター情報が含まれている場合、チャプター１の先頭から再生を開始する。また光ディスクにタイトル１〜タイトル１０等のように複数タイトルが含まれている場合、先頭のタイトル１の先頭から再生を開始する。再生が開始されると再生制御部１１ａは、自動再生モードを解除した後、本処理を終了する。
【００７０】
一方、自動再生モードに設定されていない場合、再生制御部１１ａはステップＳ２１０において、光ディスクの再生を行わず、停止状態に移行した後、本処理を終了する。
【００７１】
以上に説明した本実施形態によれば、光ディスクの認識後、光ディスクがファーストプレイバックに対応していない場合であっても、即座に再生開始することができる。このためユーザは、光ディスクの装着後にリモコンを手にとって再生キーを押下する必要がなく、利便性を向上させることができる。また、トレイクローズが行われたら必ず自動再生するモデルと異なり、ユーザが再生したくない場合でも強制的に再生されるといった事態を回避することができる。
【００７２】
なお、上記実施形態は、連続押下とみなすためのキー押下間隔を０．５秒以内としているが、キー押下間隔はこれに限定されるものではなく、例えば１．０秒等をキー押下間隔とする形態でもよい。この形態とする場合、図３の処理フローのステップＳ１３０の処理内容を変更し、１．０秒以内であるか否かを判定することにより、実施形態を変更することが可能である。
【００７３】
また上記実施形態は、自動再生の起因とする所定処理とし連続押下を例に説明を行っているが、所定処理としてこの他の処理、例えば長押しの検知やディスクトレイ１６ａに対する圧力付加の検知等を用いる形態でもよい。この形態とする場合、図３の処理フローのステップＳ１３０の処理内容を変更することにより、実施形態を変更することが可能である。
【００７４】
また上記実施形態は、設定画面３００において「ＦＰ優先」が設定されている場合を例に説明を行っているが、「ＦＰ非優先」が設定されている場合の処理フローを、図４を用いて説明する。なお図４においては、図３と同一の処理については、同一のステップ番号を付加することにより説明を省略するものとする。
【００７５】
図４に示す処理フローでは、ステップＳ１６０においてディスクの認識処理が行われた後、ステップＳ１７１において、自動再生モード設定されているか否かにより、処理の分岐を行う。
【００７６】
自動再生モードに設定されている場合、再生制御部１１ａはステップＳ１８１において、光ディスクの先頭から自動再生を行う。自動再生モードに設定されていない場合、開閉制御部１１ｂはステップＳ１９１において、ファーストプレイバック対応の光ディスクが検出されたか否かを判定する。
【００７７】
検出された場合、再生制御部１１ａはステップＳ２０１において、装着された光ディスクのファーストプレイバック処理を行う。一方、検出されなかった場合、再生制御部１１ａはステップＳ２１０において、光ディスクの再生を行わず停止状態に移行した後、本処理を終了する。
【００７８】
以上に説明した図４の実施形態によれば、ファーストプレイバック機能による自動再生よりも、本発明の自動再生を優先して実施することが可能である。
［その他の実施の形態］
【００７９】
以上、好ましい実施の形態及び実施例を挙げて本発明を説明したが、本発明は必ずしも上記実施の形態に限定されるものではなく、その技術的思想の範囲内において様々に変形して実施することができる。
【００８０】
従って本発明は、以下の形態にも適用可能である。
【００８１】
（Ａ）上記実施形態では、本発明の再生装置の一例としてＢＤレコーダ１を例に挙げているが、光ディスク等の外部記録媒体を装着して再生処理行う再生装置であれば、これ以外の再生装置において本発明を実施する形態でもよい。例えば、ＣＤ／ＤＶＤプレーヤ、ＭＤプレーヤ、磁気テープ装置等を用いる形態であってもよい。
【００８２】
（Ｂ）上記実施形態では、本発明の自動再生処理に関わる各機能部が、マイクロプロセッサ等の演算処理装置上でプログラムを実行することにより実現されているが、各機能部が複数の回路により実現される形態でもよい。
【００８３】
（Ｃ）上記実施形態では、ディスクトレイ１６ａに装着される外部記録媒体として光ディスクを例示しているが、これ以外の外部記録媒体を装着する再生装置において、本発明の自動再生処理を実施する形態でもよい。例えば、マイクロＨＤＤや磁気テープ等の磁気記録媒体、ＭＯ（Magneto Optical）等の光磁気記録媒体、フラッシュメモリ等の半導体記録媒体を開閉型のスロットにより着脱する再生装置において、本発明の自動再生処理を実施する形態でもよい。
【００８４】
（Ｄ）上記実施形態では、開閉動作が行われて自動再生する際の装置状態については特に規定していないが、所定の状態で開閉動作が行われた場合にのみ、本発明の自動再生を行う形態でもよい。例えば開閉制御部１１ｂが、電源停止状態において開閉動作がなされたか否かを判定し、電源停止状態において開閉動作がなされた場合にのみ、自動再生を行う形態でもよい。
【００８５】
（Ｅ）上記実施形態では、自動再生の対象とする光ディスクに含まれるコンテンツについては特に規定していないが、ディスクの入れ替えが行われた際に、開閉制御部１１ｂがコンテンツの内容を解析し、解析結果に基づいて自動再生を行うか否かを決定する形態でもよい。例えばコンテンツの内容が、連続ドラマのように複数の光ディスクにわたって構成されている、いわゆるシリーズ物のコンテンツであると判定されたことを起因として、上記の自動再生を行う形態でもよい。具体的には例えば、ＢＤであれば管理エリアにタイトル名が記録されているため、このタイトル及び巻数を参照し、シリーズ物のコンテンツであるか否かを判定する。また、シリーズ物であると判定された場合においても、前回装着された光ディスクの巻数と現在の光ディスクの巻数とを比較し、巻数が増加している場合にのみ自動再生を行う形態でもよい。
【００８６】
（Ｆ）上記実施形態では、自動再生時の再生位置は光ディスクの先頭からとしているが、操作内容に応じて所定の再生位置から自動再生を行う形態でもよい。例えばトレイクローズボタンを五回連打した場合に、チャプター５より自動再生する形態でもよい。或いは、トレイクローズボタンを長押ししたのち、トレイクローズボタンを押した回数だけチャプター送りをした後に自動再生する形態でもよい。
【符号の説明】
【００８７】
１      ＢＤレコーダ（再生装置）
２      ディスプレイ
３      ブロードバンドルータ
１１    制御部
１１ａ  再生制御部
１１ｂ  開閉制御部
１１ｃ  設定部
１２    メモリ
１３    操作部
１４    フラッシュメモリ
１５    ＨＤＤ
１６    光ディスクドライブ
１６ａ  ディスクトレイ（着脱部、トレイ）
１７    放送受信部
１８    信号処理部
１９    ＯＳＤ処理部
２０    通信Ｉ／Ｆ
２１    外部接続端子
【図１】
2014044773.tif 000003
【図２】
2014044773.tif 000004
【図３】
2014044773.tif 000005
【図４】
2014044773.tif 000006
【図５】
2014044773.tif 000007
【図６】
2014044773.tif 000008